【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
外部装置とネットワークを介して接続され、ブラウザ上でデータを配置するための領域のレイアウトを決定する情報処理装置において、
前記レイアウトの基となる列数及び段数をユーザの指示に応じて指定する指定手段と、
前記指定手段で指定された列数及び段数に応じてデータを配置するための配置領域となる配置領域セルと、複数の前記配置領域セルを仕切るために配置されるものであって前記外部装置と通信することなく前記ユーザの指示に応じて視覚的に仕切りの有無を変更可能な仕切セルと、を定義した定義情報を含む前記ブラウザで表示可能な表示情報を前記外部装置から受け付ける受付手段と、
前記ブラウザを用いて、前記表示情報に含まれる前記配置領域セル及び前記仕切セルを表示させる表示制御手段と、
前記表示されたブラウザ上で前記ユーザの指示に従って、前記仕切セルの表示状態の変更指示を入力する変更指示入力手段と、
前記変更指示入力手段で変更指示された前記仕切セルの表示状態を前記外部装置と通信することなく視覚的に仕切りの有無を変更することで、データを配置する配置領域のレイアウトを変更するレイアウト変更手段と
を備えることを特徴とする情報処理装置。
【請求項２】
前記変更指示入力手段により一方の仕切セルに対する仕切り無しとなる表示状態の変更指示の入力がなされ、前記一方の仕切セルに隣接する前記配置領域セルを仕切る前記一方の仕切セルと向きの異なる他方の仕切セルが仕切り無しとなる表示状態の場合、前記一方の仕切セルの仕切り無しとなる表示状態に変更をしないように制御する第１の変更制御手段と
をさらに備えることを特徴とする請求項１に記載の情報処理装置。
【請求項３】
前記第１の変更制御手段は、前記変更指示入力手段により一方の仕切セルに対する仕切り無しとなる表示状態の変更指示の入力がなされ、前記一方の仕切セルに隣接する前記配置領域セルを仕切る前記一方の仕切セルと向きの異なる他方の仕切セルが仕切り有りとなる表示状態の場合、前記一方の仕切セルの仕切り無しとなる表示状態に変更をするように制御することを特徴とする請求項２に記載の情報処理装置。
【請求項４】
前記第１の変更制御手段は、変更できない旨の通知を行う通知手段をさらに備えることを特徴とする請求項２または３に記載の情報処理装置。
【請求項５】
前記レイアウト変更手段は、前記通知手段により前記一方の仕切セルの仕切り無しとなる表示状態への変更許可指示がされた場合、前記一方の仕切セルと、前記他方の仕切セルに隣接する前記配置領域セルを仕切るための当該一方の仕切セルと同じ向きの仕切セルと、当該一方の仕切セルに隣接する前記配置領域セルを仕切るための当該一方の仕切セルと向きの異なる仕切セルとを仕切り無しとなる表示状態へ変更することを特徴とする請求項４記載の情報処理装置。
【請求項６】
前記仕切セルの表示状態により仕切りの有無を判定する判定手段と、
前記判定手段で判定された仕切り無しの前記仕切セルから前記配置領域セルの結合関係を特定する特定手段と、
前記特定手段で特定された結合関係に従ってデータを配置する配置領域のレイアウト情報を生成するレイアウト情報生成手段と
をさらに備えることを特徴とする請求項１乃至５のいずれか１項に記載の情報処理装置。
【請求項７】
前記レイアウト情報生成手段で生成された前記レイアウト情報を前記外部装置に送信する送信手段と
をさらに備えることを特徴とする請求項６に記載の情報処理装置。
【請求項８】
前記レイアウト情報は、前記特定手段で特定された結合関係から、１つの配置領域となるように変更された配置領域セルの大きさを規定する情報を含むことを特徴とする請求項６又は７に記載の情報処理装置。
【請求項９】
前記表示制御手段で表示される仕切セルは仕切り有りとなる表示状態で表示されることを特徴とする請求項１乃至８のいずれか１項に記載の情報処理装置。
【請求項１０】
前記仕切セルは縦方向と横方向の仕切セルで構成されることを特徴とする請求項１乃至９のいずれか１項に記載の情報処理装置。
【請求項１１】
ブラウザ上でデータを配置するための領域のレイアウトを変更することが可能な表示情報を情報処理装置に送信するサーバにおいて、
前記情報処理装置で指定された前記レイアウトの基となる列数及び段数を入力する第１の入力手段と、
前記第１の入力手段で入力された列数及び段数に基づいて前記データを配置するための配置領域となる配置領域セルと、複数の前記配置領域セルを仕切るために配置されるものであって外部装置と通信することなくユーザの指示に応じて視覚的に仕切りの有無を変更可能な仕切セルと、を定義した定義情報を含む前記ブラウザで表示可能な前記表示情報を出力する出力手段と、
前記表示情報が送信された前記情報処理装置で前記仕切セルの表示状態を変更することで決定されるレイアウトのレイアウト情報を入力する第２の入力手段と
を備えることを特徴とするサーバ。
【請求項１２】
外部装置とネットワークを介して接続され、ブラウザ上でデータを配置するための領域のレイアウトを決定する情報処理装置の処理方法であって、
前記レイアウトの基となる列数及び段数をユーザの指示に応じて指定する指定ステップと、
前記指定ステップで指定された列数及び段数に応じてデータを配置するための配置領域となる配置領域セルと、複数の配置領域セルを仕切るために配置されるものであって前記外部装置と通信することなくユーザの指示に応じて視覚的に仕切りの有無を変更可能な仕切セルと、を定義した定義情報を含む前記ブラウザで表示可能な表示情報を前記外部装置から受け付ける受付ステップと、
前記ブラウザを用いて、前記表示情報に含まれる前記配置領域セル及び前記仕切セルを表示させる表示制御ステップと、
前記表示制御ステップで表示された前記ブラウザ上でユーザの指示に従って、前記仕切セルの表示状態の変更指示を入力する変更指示入力ステップと、
前記変更指示入力ステップで変更指示された前記仕切セルの表示状態を前記外部装置と通信することなく視覚的に仕切りの有無を変更することでデータを配置する配置領域のレイアウトを変更するレイアウト変更ステップと
を含むことを特徴とする情報処理装置の処理方法。
【請求項１３】
ブラウザ上でデータを配置するための領域のレイアウトを変更することが可能な表示情報を情報処理装置に送信するサーバの処理方法であって、
前記情報処理装置で指定された前記レイアウトの基となる列数及び段数を入力する第１の入力ステップと、
前記第１の入力ステップで入力された列数及び段数に基づいて前記データを配置するための配置領域となる配置領域セルと、複数の前記配置領域セルを仕切るために配置されるものであって外部装置と通信することなくユーザの指示に応じて視覚的に仕切りの有無を変更可能な仕切セルと、を定義した定義情報を含む前記ブラウザで表示可能な表示情報を出力する出力ステップと、
前記表示情報が送信された前記情報処理装置で前記仕切セルの表示状態を変更することで決定されるレイアウトのレイアウト情報を入力する第２の入力ステップと
を含むことを特徴とするサーバの処理方法。
【請求項１４】
請求項１２または１３に記載の処理方法をコンピュータに実行させるためのプログラム。
【手続補正２】
【補正対象書類名】明細書
【補正対象項目名】発明の名称
【補正方法】変更
【補正の内容】
【発明の名称】情報処理装置、サーバ、情報処理装置の処理方法、サーバの処理方法及びプログラム
【手続補正３】
【補正対象書類名】明細書
【補正対象項目名】０００１
【補正方法】変更
【補正の内容】
【０００１】
本発明は、情報処理装置、サーバ、情報処理装置の処理方法、サーバの処理方法及びプログラムに係わり、特に、店舗等の陳列棚に陳列される商品の配置を決定するために、コンピュータを用いて商品陳列シミュレーションを行う情報処理装置、サーバ、情報処理装置の処理方法、サーバの処理方法及びプログラムに関する。
【手続補正４】
【補正対象書類名】明細書
【補正対象項目名】０００６
【補正方法】変更
【補正の内容】
【０００６】
上記目的を達成するために、請求項１記載の情報処理装置は、外部装置とネットワークを介して接続され、ブラウザ上でデータを配置するための領域のレイアウトを決定する情報処理装置において、前記レイアウトの基となる列数及び段数をユーザの指示に応じて指定する指定手段と、前記指定手段で指定された列数及び段数に応じてデータを配置するための配置領域となる配置領域セルと、複数の前記配置領域セルを仕切るために配置されるものであって前記外部装置と通信することなく前記ユーザの指示に応じて視覚的に仕切りの有無を変更可能な仕切セルと、を定義した定義情報を含む前記ブラウザで表示可能な表示情報を前記外部装置から受け付ける受付手段と、前記ブラウザを用いて、前記表示情報に含まれる前記配置領域セル及び前記仕切セルを表示させる表示制御手段と、前記表示されたブラウザ上で前記ユーザの指示に従って、前記仕切セルの表示状態の変更指示を入力する変更指示入力手段と、前記変更指示入力手段で変更指示された前記仕切セルの表示状態を前記外部装置と通信することなく視覚的に仕切りの有無を変更することで、データを配置する配置領域のレイアウトを変更するレイアウト変更手段とを備えることを特徴とする。
【手続補正５】
【補正対象書類名】明細書
【補正対象項目名】０００７
【補正方法】変更
【補正の内容】
【０００７】
請求項１１記載のサーバは、ブラウザ上でデータを配置するための領域のレイアウトを変更することが可能な表示情報を情報処理装置に送信するサーバにおいて、前記情報処理装置で指定された前記レイアウトの基となる列数及び段数を入力する第１の入力手段と、前記第１の入力手段で入力された列数及び段数に基づいて前記データを配置するための配置領域となる配置領域セルと、複数の前記配置領域セルを仕切るために配置されるものであって外部装置と通信することなくユーザの指示に応じて視覚的に仕切りの有無を変更可能な仕切セルと、を定義した定義情報を含む前記ブラウザで表示可能な前記表示情報を出力する出力手段と、前記表示情報が送信された前記情報処理装置で前記仕切セルの表示状態を変更することで決定されるレイアウトのレイアウト情報を入力する第２の入力手段とを備えることを特徴とする。
【手続補正６】
【補正対象書類名】明細書
【補正対象項目名】０００８
【補正方法】変更
【補正の内容】
【０００８】
請求項１２記載の情報処理装置の処理方法は、外部装置とネットワークを介して接続され、ブラウザ上でデータを配置するための領域のレイアウトを決定する情報処理装置の処理方法であって、前記レイアウトの基となる列数及び段数をユーザの指示に応じて指定する指定ステップと、前記指定ステップで指定された列数及び段数に応じてデータを配置するための配置領域となる配置領域セルと、複数の配置領域セルを仕切るために配置されるものであって前記外部装置と通信することなくユーザの指示に応じて視覚的に仕切りの有無を変更可能な仕切セルと、を定義した定義情報を含む前記ブラウザで表示可能な表示情報を前記外部装置から受け付ける受付ステップと、
前記ブラウザを用いて、前記表示情報に含まれる前記配置領域セル及び前記仕切セルを表示させる表示制御ステップと、前記表示制御ステップで表示された前記ブラウザ上でユーザの指示に従って、前記仕切セルの表示状態の変更指示を入力する変更指示入力ステップと、前記変更指示入力ステップで変更指示された前記仕切セルの表示状態を前記外部装置と通信することなく視覚的に仕切りの有無を変更することでデータを配置する配置領域のレイアウトを変更するレイアウト変更ステップとを含むことを特徴とする。
【手続補正７】
【補正対象書類名】明細書
【補正対象項目名】０００９
【補正方法】変更
【補正の内容】
【０００９】
請求項１３記載のサーバの処理方法は、ブラウザ上でデータを配置するための領域のレイアウトを変更することが可能な表示情報を情報処理装置に送信するサーバの処理方法であって、前記情報処理装置で指定された前記レイアウトの基となる列数及び段数を入力する第１の入力ステップと、前記第１の入力ステップで入力された列数及び段数に基づいて前記データを配置するための配置領域となる配置領域セルと、複数の前記配置領域セルを仕切るために配置されるものであって外部装置と通信することなくユーザの指示に応じて視覚的に仕切りの有無を変更可能な仕切セルと、を定義した定義情報を含む前記ブラウザで表示可能な表示情報を出力する出力ステップと、前記表示情報が送信された前記情報処理装置で前記仕切セルの表示状態を変更することで決定されるレイアウトのレイアウト情報を入力する第２の入力ステップとを含むことを特徴とする。
【手続補正８】
【補正対象書類名】明細書
【補正対象項目名】００１０
【補正方法】変更
【補正の内容】
【００１０】
請求項１４記載のプログラムは、請求項１２または１３に記載の処理方法をコンピュータに実行させることを特徴とする。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】